(57)【特許請求の範囲】
【請求項１】
水平方向から傾斜した天井板を有するとともに、吊りボルトを介して吊下された天井材の落下を防止する天井材落下防止構造であって、
前記天井材を下方から受け止め可能に前記天井板の下方に配された防護部材と、
前記天井板を貫通して設けられ、前記防護部材を吊下支持する吊下支持部材と、を有し、
前記吊下支持部材は、前記吊りボルトに取り付けられる上側部材と、前記上側部材よりも下方に配されつつ、前記防護部材を係止して支持する下側部材と、を有し、
前記防護部材が前記天井板の傾斜方向に沿うように、前記上側部材と前記下側部材とは、回転自在に連結されており、
前記上側部材と前記下側部材とを回転自在に連結する連結構造は、前記下側部材に固定されて、前記傾斜方向と交差する交差方向に沿った貫通孔を有する貫通孔含有部材と、前記上側部材に固定されて、前記交差方向に沿って前記貫通孔に通されるＵ字状部材と、を有することを特徴とする天井材落下防止構造。
【請求項２】
請求項１に記載の天井材落下防止構造であって、
前記防護部材は、前記天井板に下方から対向して配された線材を有することを特徴とする天井材落下防止構造。
【請求項３】
請求項１に記載の天井材落下防止構造であって、
前記防護部材は、前記天井板に下方から対向して配された板材を有することを特徴とする天井材落下防止構造。
【請求項４】
請求項１乃至３の何れかに記載の天井材落下防止構造であって、
前記吊下支持部材は、取り付け部材によって前記吊りボルトに取り付けられて支持されており、
前記取り付け部材は、前記吊りボルトに対する前記上側部材の相対位置を調整する位置調整機構を有していることを特徴とする天井材落下防止構造。
【請求項５】
請求項１乃至４の何れかに記載の天井材落下防止構造であって、
前記上側部材と前記下側部材とを回転自在に連結する連結構造は、前記天井板よりも上方に位置していることを特徴とする天井材落下防止構造。
【請求項６】
請求項１乃至５の何れかに記載の天井材落下防止構造であって、
前記上側部材は、下端部に雄ねじを有しつつ上下方向に沿った棒状部材を有し、
前記連結構造は、前記雄ねじに螺合した上ナットと、前記上ナットの下方に配されて雌ねじの穴が水平方向を向いた下ナットと、を有し、
前記Ｕ字状部材における一対の上端部同士には、水平方向に沿った軸部材が掛け渡されているとともに、当該軸部材は、前記下ナットの前記雌ねじの穴に挿通されていることを特徴とする天井材落下防止構造。
【発明の詳細な説明】
【技術分野】
【０００１】
本発明は、吊りボルトを介して吊下された天井材の落下を防止する天井材落下防止構造に関する。
【背景技術】
【０００２】
従来、床スラブ等の既存の建物躯体からは、吊りボルトを介して天井板等の天井材が吊下されている。そして、かかる天井材の落下を防止する種々の落下防止構造が提供されている。
【０００３】
例えば、特許文献１に開示の天井材落下防止構造は、天井材を下方から受け止め可能に天井板の下方に配された防護部材と、天井板を貫通して設けられ、上記の防護部材を吊下支持する吊下支持部材と、を有している。そして、この吊下支持部材は、その上部で上記の吊りボルトに取り付けられて支持される一方、下部では防護部材を係止してこれを支持するようになっている。
【先行技術文献】
【特許文献】
【０００４】
【特許文献１】特開２０１４−２０１８８７号公報
【発明の概要】
【発明が解決しようとする課題】
【０００５】
しかしながら、上記の吊下支持部材は、鉛直方向に回転可能な部分を有しておらず、故に、上部に対して下部を傾斜させることができない。そのため、水平方向から傾斜した天井板に、防護部材を沿わせることができず、結果、このような傾斜した天井板に対して、上記のような防護部材を有した天井材落下防止構造を適用することが困難であった。
【０００６】
本発明は、上記のような従来の問題に鑑みなされたものであって、その目的は、水平方向から傾斜した天井板に対して、上記の防護部材を有した落下防止構造を適用可能にすることにある。
【０００７】
本発明は、上記のような従来の問題に鑑みなされたものであって、その目的は、水平方向から傾斜した天井板を有した天井に適用可能な天井材落下防止構造を提供することにある。
【課題を解決するための手段】
【０００８】
かかる目的を達成するために請求項１に示す発明は、
水平方向から傾斜した天井板を有するとともに、吊りボルトを介して吊下された天井材の落下を防止する天井材落下防止構造であって、
前記天井材を下方から受け止め可能に前記天井板の下方に配された防護部材と、
前記天井板を貫通して設けられ、前記防護部材を吊下支持する吊下支持部材と、を有し、
前記吊下支持部材は、前記吊りボルトに取り付けられる上側部材と、前記上側部材よりも下方に配されつつ、前記防護部材を係止して支持する下側部材と、を有し、
前記防護部材が前記天井板の傾斜方向に沿うように、前記上側部材と前記下側部材とは、回転自在に連結されており、
前記上側部材と前記下側部材とを回転自在に連結する連結構造は、前記下側部材に固定されて、前記傾斜方向と交差する交差方向に沿った貫通孔を有する貫通孔含有部材と、前記上側部材に固定されて、前記交差方向に沿って前記貫通孔に通されるＵ字状部材と、を有することを特徴とする。
【０００９】
上記請求項１に示す発明によれば、防護部材が天井板の傾斜方向に沿うようになる。よって、当該防護部材を有した落下防止構造を、傾斜した天井板に対しても適用可能となる。
また、上側部材と下側部材とは、回転自在に連結されているので、これら部材同士は、天井板の傾斜角度に応じて、対応する角度に速やかに回転することができる。よって、天井板の傾斜方向が任意の方向を向いている場合でも、対応可能である。
更に、上記貫通孔含有部材の貫通孔は、上記傾斜方向と交差する交差方向を向いているので、当該傾斜方向は、貫通孔含有部材の強軸方向を向いている。よって、天井材の落下の際には、上記貫通孔含有部材で天井材の自重をしっかりと受け止めることができる。
【００１０】
請求項２に示す発明は、請求項１に記載の天井材落下防止構造であって、
前記防護部材は、前記天井板に下方から対向して配された線材を有することを特徴とする。
【００１１】
上記請求項２に示す発明によれば、防護部材は上記の線材を有しているので、落下する天井材を確実に受け止めることができる。
また、線材であるので、下方から線材越しに天井板の大半の部分を視認することができて、結果、防護部材が天井板の見栄えを損ねてしまうことを有効に防ぐことができる。
【００１２】
請求項３に示す発明は、請求項１に記載の天井材落下防止構造であって、
前記防護部材は、前記天井板に下方から対向して配された板材を有することを特徴とする。
【００１３】
上記請求項３に示す発明によれば、防護部材は上記の板材を有しているので、落下する天井材を確実に受け止めることができる。
また、防護部材は、板材であるので、落下する天井材を、板材の板面でもって受け止めることができる。よって、防護部材は、高い落下防止性能を奏することができる。
【００１４】
請求項４に示す発明は、請求項１乃至３の何れかに記載の天井材落下防止構造であって、
前記吊下支持部材は、取り付け部材によって前記吊りボルトに取り付けられて支持されており、
前記取り付け部材は、前記吊りボルトに対する前記上側部材の相対位置を調整する位置調整機構を有していることを特徴とする。
【００１５】
上記請求項４に示す発明によれば、上記の位置調整機構によって、吊りボルトに対する上側部材の相対位置を調整可能である。よって、仮に吊りボルトの配置位置が本来位置すべき目標位置からずれている場合でも、上記上側部材の位置調整を通して、防護部材を支持すべき適正な位置に上記吊下支持部材を位置調整可能である。よって、当該吊下支持部材は、防護部材を適正な位置で支持できるようになる。
【００１６】
請求項５に示す発明は、請求項１乃至４の何れかに記載の天井材落下防止構造であって、
前記上側部材と前記下側部材とを回転自在に連結する連結構造は、前記天井板よりも上方に位置していることを特徴とする。
【００１７】
上記請求項５に示す発明によれば、天井板よりも上方に上記の連結構造は位置している。よって、同連結構造を天井板で隠して、人目に触れないようにすることができる。そして、これにより、屋内側から見た際の天井板の見栄えを良好することができる。
【００２０】
請求項６に示す発明は、請求項６に記載の天井材落下防止構造であって、
前記上側部材は、下端部に雄ねじを有しつつ上下方向に沿った棒状部材を有し、
前記連結構造は、前記雄ねじに螺合した上ナットと、前記上ナットの下方に配されて雌ねじの穴が水平方向を向いた下ナットと、を有し、
前記Ｕ字状部材における一対の上端部同士には、水平方向に沿った軸部材が掛け渡されているとともに、当該軸部材は、前記下ナットの前記雌ねじの穴に挿通されていることを特徴とする。
【００２１】
上記請求項６に示す発明によれば、上記の上ナット及び下ナットを用いることによって、上側部材に、連結構造のＵ字状部材を確実に取り付け可能となる。
また、連結構造の一部に上ナットと下ナットとを使用している。すなわち、ナットを使用している。よって、強度確保した構造を安価に形成することができる。そして、このことも、天井材落下防止構造の設置コストの低廉化に有効に寄与する。
【発明の効果】
【００２２】
本発明によれば、水平方向から傾斜した天井板に対して、上記の防護部材を有した落下防止構造を適用可能となる。
【図面の簡単な説明】
【００２３】
【図１Ａ】本実施形態の天井材落下防止構造の概略側面図である。
【図１Ｂ】図１Ａ中のＢ−Ｂ矢視図である。
【図１Ｃ】図１Ｂ中のＣ−Ｃ矢視図である。
【図１Ｄ】図１Ａ中のＤ−Ｄ矢視図である。
【図２Ａ】本実施形態の天井材落下防止構造が適用された天井板１１を、天井板１１の上方から見た概略平面図である。
【図２Ｂ】同天井板１１を、天井板１１の下方から見た概略平面図である。
【図３】変形例の天井材落下防止構造の概略側面図である。
【図４】変形例の天井材落下防止構造の概略側面図である。
【図５】変形例の天井材落下防止構造が適用された天井板１１を、天井板１１の下方から見た概略平面図である。
【発明を実施するための形態】
【００２４】
＝＝＝本実施形態＝＝＝
図１Ａ乃至図１Ｃは、本実施形態の天井材落下防止構造の説明図である。図１Ａは、天井材落下防止構造の概略側面図であり、図１Ｂは、図１Ａ中のＢ−Ｂ矢視図である。また、図１Ｃは、図１Ｂ中のＣ−Ｃ矢視図であり、図１Ｄは、図１Ａ中のＤ−Ｄ矢視図である。なお、図１Ａ中では、天井板１１等の一部の構成を破断して示している。
また、図２Ａは、この天井材落下防止構造が適用された天井板１１を、天井板１１の上方から見た概略平面図であり、図２Ｂは、同天井板１１を、天井板１１の下方から見た概略平面図である。なお、図２Ａ中では、野縁受け１３や野縁１５を不図示としている。
【００２５】
図１Ａ乃至図１Ｃに示すように、この天井材落下防止構造は、水平方向から傾斜した天井板１１に対して適用される。すなわち、当該傾斜した天井板１１を有した既存建物（不図示）は、不図示の建物躯体として床スラブや梁を有しているが、これら床スラブ又は梁には、吊りボルト２１が吊下されているとともに、同吊りボルト２１の下端部にはハンガー２３が取り付けられている。そして、同ハンガー２３には、水平方向から例えば３０°などの所定の傾斜角度θで傾斜した野縁受け１３がビス２３ｓ又は溶接等で取り付けられているとともに、同野縁受け１３にビス又は溶接等で取り付けられた野縁１５に、天井板１１がビス等で固定されていて、これにより、天井板１１は、水平方向から上記傾斜角度θで傾斜している。
【００２６】
以下では、互いに直交する三方向のことを、上下方向（鉛直方向）、前後方向、及び左右方向と言う。なお、前後方向と左右方向とは、それぞれ水平方向を向いている。また、この例では、図１Ａに示すように、天井板１１は、前後方向に関して水平方向から上記傾斜角度θで傾斜している。すなわち、野縁受け１３が、前方に向かうに従って上下方向の位置が低くなるように水平方向から上記傾斜角度θで傾斜していて、これに伴って、天井板１１も同様に上記傾斜角度θで傾斜している。一方、図１Ｂに示すように、左右方向については、基本的に天井板１１は傾斜しておらず水平である。但し、何等これに限らず、これと逆になっていても良い。すなわち、天井板１１が、前後方向に傾斜せずに左右方向に傾斜していても良い。
【００２７】
また、この例では、天井板１１、野縁受け１３、及び野縁１５が、請求項の「天井材」に相当しているが、何等これに限らない。すなわち、天井を形成するための部材であれば、上記以外の部材を天井材として有していても良い。
【００２８】
更に、この例では、天井板１１として、プラスターボードの下面側に吸音板を接合した複合板が使用されているが、何等これに限らない。すなわち、吸音板は無くても良いし、場合によっては、プラスターボード以外の素材の板材を用いても良い。
【００２９】
また、図２Ａに示すように、この例では、吊りボルト２１，２１…は、左右方向及び前後方向の両方向に関してそれぞれ間隔を隔てた複数の位置に略格子目状に配置されていて、これら複数の吊りボルト２１，２１…によって天井板１１等の天井材が吊下されているが、何等これに限らない。すなわち、吊りボルト２１，２１…は、千鳥配置などの略格子目状以外の配置パターンで配置されていても良い。
【００３０】
図１Ａ乃至図２Ｂに示すように、天井材落下防止構造は、天井板１１等の天井材を吊下する上記の各吊りボルト２１に対応して設けられた吊下支持部材３１と、吊下支持部材３１を吊りボルト２１に取り付けて支持させるための取り付け部材４１と、吊下支持部材３１に吊下支持されて、天井材を下方から受け止め可能に天井板１１の下方に配された防護部材５１と、を有している。そして、地震などで天井材が破損等して落下する場合には、当該天井材を上記の防護部材５１で受け止めて、これにより、天井材の落下を防止する。
【００３１】
図１Ａ及び図１Ｂに示すように、吊下支持部材３１は、吊りボルト２１に取り付けられる上側部材３２と、この上側部材３２の下方に配されつつ、防護部材５１を係止して支持する下側部材３６と、上側部材３２と下側部材３６とを回転自在に連結する連結構造６１と、を有している。そして、この連結構造６１での回転に基づいて、下側部材３６が上側部材３２に対して天井板１１の傾斜角度θに応じて任意に傾くことができて、これにより、下側部材３６は、防護部材５１が天井板１１の傾斜方向に沿うようにしながら、同防護部材５１を係止支持可能となっている。
【００３２】
図１Ａ及び図１Ｂ中で着色して示すように、上側部材３２は、上下方向に沿った棒状部材であり、同上側部材３２は、上記の取り付け部材４１によって、吊りボルト２１に取り付けられている。すなわち、取り付け部材４１は、前後一対の鋼などの金属製のプレート４２，４２と、これら一対のプレート４２，４２同士を締結固定するための締結具４３ｂ，４３ｎと、を有する。そして、当該一対のプレート４２，４２同士は、両者の間に吊りボルト２１と上側部材３２とを前後方向の両側から挟み込むとともに、締結具としてのボルト４３ｂ及びナット４３ｎでこれら一対のプレート４２，４２同士を締結することにより、当該挟み込み状態に固定する。そして、これにより、吊りボルト２１の左右方向の隣に上側部材３２が位置するように吊りボルト２１に上側部材３２が取り付けられる。
なお、この取り付け部材４１は、吊りボルト２１に対する上記上側部材３２の上下方向の相対位置及び左右方向の相対位置を調整するための位置調整機構を有しているが、これについては後述する。
【００３３】
下側部材３６は、図１Ａに示すように、例えば天井板１１の上方に配される円形の上プレート３７ｐｕと、天井板１１の下方に配される円形の下プレート３７ｐｄと、天井板１１の厚さ方向たる略上下方向に沿って当該天井板１１に形成された貫通孔１１ｈに挿入されて、上下プレート３７ｐｕ，３７ｐｄ同士の間に一定間隔をあけるための鋼などの金属製のスペーサー用パイプ３８と、スペーサー用パイプ３８を介して上プレート３７ｐｕに下プレート３７ｐｄを締結固定するための締結具３９ｂ，３９ｎと、を有する。そして、この例では、締結具としてボルト３９ｂ及びナット３９ｎが使用されている。また、上下プレート３７ｐｕ，３７ｐｄには、それぞれ平面中心にボルト穴３７ｐｕｈ，３７ｐｄｈが形成されているとともに、上プレート３７ｐｕのボルト穴３７ｐｕｈに対応させて上記のナット３９ｎが上プレート３７ｐｕの上面に溶接等で固定されている。
よって、上記のボルト３９ｂが、順次、下プレート３７ｐｄのボルト穴３７ｐｄｈ、スペーサー用パイプ３８、上プレート３７ｐｕのボルト穴３７ｐｕｈに通されて、これにより、上プレート３７ｐｕの上面の上記ナット３９ｎにボルト３９ｂの先端部の雄ねじが螺合して、その結果、上プレート３７ｐｕと下プレート３７ｐｄとがスペーサー用パイプ３８を介して締結固定されている。ちなみに、このスペーサー用パイプ３８を上下プレート３７ｐｕ，３７ｐｄ同士の間に一定間隔をあけるためのスペーサーとして機能させるべく、上下プレート３７ｐｕ，３７ｐｄの各ボルト穴３７ｐｕｈ，３７ｐｄｈの直径は、これら各ボルト穴７ｐｕｈ，３７ｐｄｈにスペーサー用パイプ３８が入らないようにすべく同パイプ３８の直径よりも小さくされている。
【００３４】
また、前述の取り付け部材４１の位置調整機構に基づいて吊下支持部材３１の上下方向の位置が調整されることにより、同図１Ａのように、上プレート３７ｐｕは天井板１１の上面にほぼ当接しつつ、下プレート３７ｐｄは、天井板１１の下面との間に隙間Ｇがあいた状態とされている。そして、この隙間Ｇに、防護部材５１としてのポリエチレン製の撚り糸等の線材５１が介挿されている。詳しくは、図１Ｄに示すように、上記のスペーサー用パイプ３８の位置を起端として、四つの線材５１，５１…が左右方向の両側及び傾斜方向の両側にそれぞれ延びて設けられている。
【００３５】
すなわち、第１の線材５１は、一端に形成されたループ部５１Ｌを図１Ｄの上記スペーサー用パイプ３８に係止しつつ、これを起端として左右方向の右側に沿って延びているとともに、同線材５１の他端（不図示）を、同様のループ部５１Ｌ（不図示）によって、この吊下支持部材３１の右側に隣り合う吊下支持部材３１（不図示）のスペーサー用パイプ３８（不図示）に係止している。また、第２の線材５１も、一端に形成されたループ部５１Ｌを図１Ｄの上記スペーサー用パイプ３８に係止しつつ、これを起端として左右方向の左側に沿って延びているとともに、同線材５１の他端（不図示）を、同様のループ部５１Ｌ（不図示）によって、この吊下支持部材３１の左側に隣り合う吊下支持部材３１（不図示）のボルト３９ｂ（不図示）に係止している。更に、第３の線材５１も、一端に形成されたループ部５１Ｌを図１Ｄの上記スペーサー用パイプ３８に係止しつつ、これを起端として傾斜方向の前側に沿って延びているとともに、同線材５１の他端（不図示）を、同様のループ部５１Ｌ（不図示）によって、この吊下支持部材３１の前側に隣り合う吊下支持部材３１（不図示）のスペーサー用パイプ３８（不図示）に係止している。また、第４の線材５１も、一端に形成されたループ部５１Ｌを図１Ｄの上記スペーサー用パイプ３８に係止しつつ、これを起端として傾斜方向の後側に沿って延びているとともに、同線材５１の他端（不図示）を、同様のループ部５１Ｌ（不図示）によって、この吊下支持部材３１の後側に隣り合う吊下支持部材３１（不図示）のスペーサー用パイプ３８（不図示）に係止している。そして、このような四つの線材５１，５１…の係止が、各吊下支持部材３１において繰り返されることにより、図２Ｂに示すように、天井板１１の略全面に亘って上記線材５１が張り巡らされている。
【００３６】
なお、かかる防護部材５１としての線材５１は、何等上記のポリエチレン製の撚り糸に限らない。すなわち、ポリエチレン以外の樹脂製の撚り糸でも良いし、金属製でも良い。
【００３７】
図１Ａ及び図１Ｂに示すように、連結構造６１は、上側部材３２における下端部の雄ねじに螺合する上ナット６２ｎｕと、この上ナット６２ｎｕの下面に溶接等で一体に固定されつつ雌ねじの穴６２ｎｄｈが左右方向を向いた下ナット６２ｎｄと、下側部材３６に係る前述の上プレート３７ｐｕの上面に溶接等で一体に固定されて、傾斜方向と交差する方向たる左右方向に沿った貫通孔６４ｈを有する貫通孔含有部材しての貫通孔含有鉛直プレート６４と、シャックル６７と、を有する。そして、当該シャックル６７が、上記貫通孔含有鉛直プレート６４の上記貫通孔６４ｈ及び上記下ナット６２ｎｄの雌ねじの穴６２ｎｄｈの両者に通されることにより、上側部材３２と下側部材３６とは、上記の傾斜方向に回転自在に連結されている。
【００３８】
詳しくは、図１Ｂに示すように、シャックル６７は、Ｕ字状部材６７ｕを有するとともに、このＵ字状部材６７ｕにおいて左右方向に並ぶ一対の上端部６７ｕｅ，６７ｕｅ同士には、左右方向に沿った軸部材としてのピン６７ｐが掛け渡されて固定された状態となっている。そして、このＵ字状部材６７ｕが、左右方向に沿って貫通孔含有鉛直プレート６４の上記貫通孔６４ｈ（図１Ａ）に通されるとともに、上記ピン６７ｐが、下ナット６２ｎｄの雌ねじの穴６２ｎｄｈ（図１Ａ）に挿通されていて、これにより、上側部材３２と下側部材３６とは、上記傾斜方向に回転自在に連結されている。
【００３９】
なお、この例では、図１Ａに示すように、かかる連結構造６１を構成する前述の上ナット６２ｎｕと下ナット６２ｎｄと貫通孔含有鉛直プレート６４とシャックル６７とは、天井板１１よりも上方に位置している。よって、当該連結構造６１を天井板１１で隠して、人目に触れないようにすることができる。そして、これにより、屋内側から見た際の天井板１１の見栄えを良好することができる。
【００４０】
また、上記のように連結構造６１の一部に上ナット６２ｕｎと下ナット６２ｎｄとを使用している。すなわち、ナット６２ｎｕ，６２ｎｄを使用している。よって、強度確保した構造を安価に形成することができる。
【００４１】
更に、貫通孔含有鉛直プレート６４の上記貫通孔６４ｈは、上記傾斜方向と交差する交差方向を向いているので、当該傾斜方向は、貫通孔含有鉛直プレート６４の強軸方向を向いている。よって、天井材の落下の際には、上記貫通孔含有鉛直プレート６４で天井材の自重をしっかりと受け止めることができる。
【００４２】
ところで、吊りボルト２１に対して吊下支持部材３１を取り付けるための取り付け部材４１が、位置調整機構を有している旨を前述したが、以下、これについて説明する。
【００４３】
図１Ａ及び図１Ｂに示すように、取り付け部材４１に係る前述の一対のプレート４２，４２には、締結具としてのボルト４３ｂを通すためのボルト穴４２ｈ，４２ｈ…が複数貫通形成されている。
詳しくは、図１Ｂに示すように、これらボルト穴４２ｈ，４２ｈ…のうちの半数は、上下方向における所定位置に、左右方向に沿ったジグザグ配置パターンで配されているとともに、残りの半数は、上記所定位置よりも下側の位置に、左右方向に沿ったジグザグ配置パターンで配されている。そして、各ジグザグ配置パターンにおいて左右方向に隣り合うボルト穴４２ｈ，４２ｈ同士の間の間隔の大きさＬ４２ｈは、吊りボルト２１の直径及び吊下支持部材３１の上側部材３２の直径と同値又はそれよりも若干大きく設定されていて、これにより、これらをボルト穴４２ｈ，４２ｈ同士の間の位置に吊りボルト２１及び上側部材３２をそれぞれ配置した状態で、当該ボルト穴４２ｈにボルト４３ｂを差し込み可能となっている。よって、同図１Ｂに示すように、吊りボルト２１又は上側部材３２の左右方向の両側に隣接する各ボルト穴４２ｈ，４２ｈにボルト４３ｂ，４３ｂを入れて同ボルト４３ｂにナット４３ｎ（図１Ａ）を締結することにより、吊りボルト２１又は上側部材３２が一対のプレート４２，４２同士に挟み込まれて固定された状態となる。
【００４４】
ここで、かかるボルト穴４２ｈ，４２ｈ…は、少なくとも左右方向に少なくとも４つ以上形成されていて、この図１Ｂの例では、左右方向に８つ並んで形成されている。よって、同図１Ｂのように、吊りボルト２１の固定に供する左右一対のボルト穴４２ｈ，４２ｈと、吊下支持部材３１の上側部材３２の固定に供する左右一対のボルト穴４２ｈ，４２ｈと、を、８つのボルト穴４２ｈ，４２ｈ…からそれぞれ適宜選択することによって、吊りボルト２１に対する吊下支持部材３１の左右方向の相対位置を調整可能である。
【００４５】
そして、これにより、仮に吊りボルト２１の配置位置が本来位置すべき目標位置から左右方向にずれている場合でも、上記上側部材３２の位置調整を通して、防護部材５１を支持すべき適正な位置に上記吊下支持部材３１を位置調整可能である。よって、当該吊下支持部材３１は、防護部材５１を適正な位置で支持できるようになる。
【００４６】
一方、吊りボルト２１に対する吊下支持部材３１の上下方向の相対位置については、次のようにして調整可能である。先ず、一対のプレート４２，４２を締結する前述のボルト４３ｂとナット４３ｎとの螺合を緩める。すると、当該一対のプレート４２，４２に対して吊下支持部材３１の上側部材３２を上下方向に相対移動可能な状態となる。よって、この相対移動による位置調整後に、締まる方向にボルト４３ｂとナット４３ｎとを螺合回転して締結すれば、吊下支持部材３１を位置調整後の状態に固定することができる。
ちなみに、この例では、かかる位置調整後に上下方向の相対位置が変動しないように当該相対位置を確実に固定する目的で、更に、次のような工夫もされている。すなわち、図１Ａ及び図１Ｂに示すように、上側部材３２の上端部には雄ねじが形成されているとともに、同雄ねじにはナット３５ｎが螺合していて、同ナット３５ｎは、一対のプレート４２，４２の上端面に上方から当接している。よって、上側部材３２が下方にずれ落ちることは効果的に防止される。
【００４７】
図３乃至図５は、本実施形態の天井材落下防止構造の変形例の説明図である。なお、図３及び図４は、それぞれ、天井板１１等の一部の構成を破断して示す天井材落下防止構造の概略側面図である。また、図５は、この天井材落下防止構造が適用された天井板１１を天井板１１の下方から見た概略平面図である。
【００４８】
上述の実施形態では、図２Ｂに示すように、防護部材として格子状に配された線材５１（撚り糸）を例示したが、この変形例では、図５に示すように、防護部材として格子状に配された板材５１ａを使用している点で相違する。そして、主にこの点で相違し、これ以外の点については、概ね上述の実施形態と概ね同じである。よって、以下では、この相違点について説明し、同じ構成については、同じ符号を付してその説明については省略する。
【００４９】
この図３の変形例では、吊下支持部材３１に係る下側部材３６の下端部には、前述の線材５１に代えて、板材の一例としてフラットバー５１ａが係止されている。なお、フラットバー５１ａとは、帯鋼とも言われる鋼製帯板のことである。そして、同フラットバー５１ａには、上記の下側部材３６に係るボルト３９ｂを通す貫通孔５１ａｈが形成されているとともに、同貫通孔５１ａｈの直径は、前述のスペーサー用パイプ３８の外径よりも小さくされている。よって、フラットバー５１ａを、前述の実施形態の下プレート３７ｐｄの代用品として兼用することもできて、その場合には、同図３のように前述の下側部材３６に係る下プレート３７ｐｄを省略可能である。
但し、何等これに限らず、下プレート３７ｐｄを設けても良い。例えば、図４に示すようにフラットバー５１ａの貫通孔５１ａｈの直径が前述のスペーサー用パイプ３８の外径より大きい場合には、フラットバー５１ａの下方に下プレート３７ｐｄを設けても良い。
【００５０】
一方、かかるフラットバー５１ａは、図５に示すように、下側部材３６の位置から左右方向の両側及び前後方向の両側にそれぞれ延びて設けられていて、これにより、これら複数のフラットバー５１ａ，５１ａ…は格子状に配置されている。よって、天井板１１等の天井材が落下する場合に、同天井材を下方から当該フラットバー５１ａ，５１ａ…で確実に受け止めることができる。
【００５１】
また、この受け止め性をより高める観点からは、このフラットバー５１ａと天井板１１との間にネット等の網状のシート部材を敷設すると良い。
【００５２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００５３】
上述の実施形態では、図１Ａに示すように、天井板１１は、平坦な上面及び下面を有した平板であったが、何等これに限らない。例えば、湾曲した上面及び下面を有した湾曲板であっても良い。
【００５４】
上述の実施形態では、図１Ａ及び図１Ｂに示すように、上側部材３２と下側部材３６とを回転自在に連結する連結構造６１として、Ｕ字状部材６７ｕと、このＵ字状部材６７ｕが通される貫通孔６４ｈを含有する貫通孔含有鉛直プレート６４等の貫通孔含有部材と、を具備した構成を例示したが、何等これに限らない。例えば、これに代えて、ユニバーサルジョイント等の自在継手を、上記連結構造６１として使用しても良い。
【符号の説明】
【００５５】
１１  天井板（天井材）、１１ｈ  貫通孔、
１３  野縁受け（天井材）、１５  野縁（天井材）、
２１  吊りボルト、
２３  ハンガー、２３ｓ  ビス、
３１  吊下支持部材、３２  上側部材（棒状部材）、３５ｎ  ナット、
３６  下側部材、
３７ｐｕ  上プレート、３７ｐｕｈ  ボルト穴、
３７ｐｄ  下プレート、３７ｐｄｈ  ボルト穴、
３８  スペーサー用パイプ、
３９ｂ  ボルト（締結具）、３９ｎ  ナット（締結具）、
４１  取り付け部材、４２  プレート、４２ｈ  ボルト穴、
４３ｂ  ボルト（締結具）、４３ｎ  ナット（締結具）、
５１  線材（防護部材）、５１Ｌ  ループ部、
５１ａ  フラットバー、５１ａｈ  貫通孔、
６１  連結構造、
６２ｎｕ  上ナット、６２ｎｄ  下ナット、６２ｎｄｈ  雌ねじの穴、
６４  貫通孔含有鉛直プレート（貫通孔含有部材）、６４ｈ  貫通孔、
６７  シャックル、６７ｕ  Ｕ字状部材、６７ｕｅ  上端部、６７ｐ  ピン（軸部材）、
Ｇ  隙間、
【図１Ａ】
0006696183.tif 000002
【図１Ｂ】
0006696183.tif 000003
【図１Ｃ】
0006696183.tif 000004
【図１Ｄ】
0006696183.tif 000005
【図２Ａ】
0006696183.tif 000006
【図２Ｂ】
0006696183.tif 000007
【図３】
0006696183.tif 000008
【図４】
0006696183.tif 000009
【図５】
0006696183.tif 000010